(57)【要約】      （修正有）【課題】身体の往復運動回数をカウントできる光センサーカウンター付き運動器具を提供する。【解決手段】本考案の運動器具の左、右の本体における所定位置に光センサーカウンターを設置することにより、本考案の運動器具は、運動回数をカウントできる機能を有する。これにより、使用者は、本考案の運動器具を利用して運動を行う時に、運動回数を確実にカウントすることができる。【選択図】図２
0003124483.tif 000002
【実用新案登録請求の範囲】
【請求項１】
少なくとも一つの本体と、
前記本体の所定位置に設定され、光反応ユニットとカウントユニットとを有する光センサーカウンターと、
を含み、
前記光反応ユニットは、標的物に対して検知を行い、
前記カウントユニットは、前記光反応ユニットにより検知された結果を運動回数として表示する、
光センサーカウンター付き運動器具。
【請求項２】
取手部が更に含まれる、
請求項１に記載の光センサーカウンター付き運動器具。
【請求項３】
前記本体の両端には、前記運動器具を固定するための固定部が設置され、前記光センサーカウンターは、前記本体の内部に設置され、前記光反応ユニットと前記カウントユニットとは、前記本体の側面に設置される、
請求項１に記載の光センサーカウンター付き運動器具。
【請求項４】
所定の運動回数を算出するコンピュータ・プログラムが更に含まれ、当該運動回数は、音声またはランプ点滅を含む通知機能により通知される、
請求項１に記載の光センサーカウンター付き運動器具。
【考案の詳細な説明】
【技術分野】
【０００１】
本考案は、運動器具に関し、特に、身体の往復運動回数をカウントできる光センサーカウンター付き運動器具に関する。
【背景技術】
【０００２】
フィットネス運動は現代人の生活において極めて重要なものとなっている。そして、よく知られている腕立て伏せは優れた鍛錬効果をもっている。図１を参照する。図１には従来の運動器具が開示されており、この運動器具は二つの本体１、２の上にそれぞれ取手部３、４を設ける。使用者はその取手部３、４を握り、足を地面に付け、腕力で上半身を上下させることで腕力を鍛えるのが従来の運動器具の特徴である。
【０００３】
但し、従来の運動器具はカウンターを装備していないため、トレーニング回数や時間を上手くコントロールすることができず、運動障害を引き起こす可能性が高い。
【０００４】
よって、従来の運動器具の前記問題点を改善し、より理想的で実用性を伴った新型構造を開発することは消費者が待望することであり、関連業者の目指すところでもある。
【考案の開示】
【考案が解決しようとする課題】
【０００５】
本考案の目的は、身体の往復運動回数をカウントできる光センサーカウンター付き運動器具を提供することにある。
【課題を解決するための手段】
【０００６】
前述の目的を達成するために、本発明は、光センサーカウンターを装備する運動器具を提供する。運動器具の左、右の本体における所定の位置に光センサーカウンターを設置することにより、使用者は、自分自身の運動回数を確実にカウントすることができる。
【考案の効果】
【０００７】
本考案は、身体の往復運動回数をカウントできる光センサーカウンター付き運動器具を提供する。
【考案を実施するための最良の形態】
【０００８】
次に、添付した図面を参照しながら、本考案の好適な実施例を詳細に説明する。
【０００９】
図２〜７は、本考案の光センサーカウンター付き運動器具の好適な実施例を示すものである。図２に示されている運動器具は、右、左の本体１０、２０と、右、左の本体１０、２０の上部の中央に設けられるｎ字形の取手部１１、２１と、右、左の本体１０、２０のいずれかの前方に設置される光センサーカウンター１２とを含む。運動時には、右、左の取手部１１、２１を握ることができる。
【００１０】
光センサーカウンター１２は、一つの光反応ユニット１４及び一つのカウントユニット１３によって構成されている。光反応ユニット１４は、光センサーカウンター１２の側面に装着され、光反応ユニット１４からの光束１５が外部の物体に触れると、光反応ユニット１４の内部に検出メッセージが現れる。また、光反応ユニット１４は赤外線もしくは紫外線の光束１５を用いることも可能である。また、光反応ユニット１４からの光束１５の角度は、使用者の使用状態に応じて変化するため、光反応ユニット１４は、ある程度傾けて装着しなければならない。
【００１１】
カウントユニット１３は、光センサーカウンター１２の上部に設置され、光反応ユニット１４の内部と導通する。光反応ユニット１４からの光束１５が外部の物体を検知することによりメッセージを生成する。このメッセージは、カウントユニット１３に入力されてカウントユニット１３の内部で回数を表示できる数値データに転換される。使用者は、画面に表示されている数値データを見るだけで検知回数を知ることができる。
【００１２】
前述の構造と設計に基づき、本発明の使用時の作動情況を下記にて説明する。
【００１３】
図３と図４に示すように、トレーニングを行う前、使用者は両手を右、左の本体１０、２０の取手部１１、２１に付ける。この時、両足を地面に付けて、右、左取手部１１、２１を握ることで上半身を支える。この状態において、光反応ユニット１４は、適度な角度の光束１５を生成し、使用者が両腕の力を利用して上半身を起してその上半身は光束１５から外れるため、光反応ユニット１４は検知することができなくなる。
【００１４】
また、図５〜図７に示すように、使用者が上半身を降ろした時、光束１５は使用者の上半身に当たるため、光反応ユニット１４は、光検知メッセージを生成する。カウントユニット１３は、その光検知メッセージを受信し、表示できる数値データに転換する。その後、カウントユニット１３の表示インターフェースは、その表示できる数値データ、即ち、検知された運動回数を表示する（図６を参照する）。これにより、使用者は、腕立て伏せの回数を確認することができる。
【００１５】
図８と図９は、本考案における他の実施例を示すものである。本実施例の光検知カウント構造は、身体もしくは頭部に装着できるインターフェースを採用することも可能である。光検知カウント構造を身体に付けて、決められた標的物を検知させることで運動回数を具体的に表示する方法も考えられる。
【００１６】
この場合、本体３０には、腕時計のデザインをした光検知カウント構造を採用し、かつ本体３０の両端に時計のベルトのような固定部３１を設ける。本体３０は、光センサーカウンター３２を内蔵しており、本体３０の上部側面にはカウントユニット３３が設置されている。さらに、その側面には一つの光反応ユニット３４があり、それによって光束３５が生じ、標的物を検知してカウントユニット３３に数値が表示される。
【００１７】
図９に示すように、本体３０の固定部３１を使用者の腕の位置に固定すると、使用者の手のひじの関節を支点として腕をスウィングさせると、腕に装着された本体はそれと共に移動し、光反応ユニット３４からの光束３５は、決められた標的物を検知して、その回数データは、光反応ユニット３４からカウントユニット３３に送られ、使用者は表示インターフェースで運動回数を確認することができる。
【００１８】
図１０に示すように、本体３０に、例えばカロリーを消費するのに必要な運動回数を算出できるコンピュータ・プログラム３６を追加することもできる。身長や体重等の数値を入力すれば、内部のプログラムの計算によって、使用者にとって必要な運動回数が表示される。また、音声やランプ点滅といった様々な通知機能を利用して、使用者に運動回数を知らせることもできる。
【００１９】
ゆえに、本考案は、運動器具の右、左の本体１０、２０における所定の位置に光センサーカウンター１２を設置することで、従来の運動器具のような、カウンターを装備していないため、トレーニングの回数や時間を上手くコントロールすることができず、運動障害を引き起こしやすいといった欠点を改善することができる。
【００２０】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２１】
【図１】従来の運動器具の斜視図である。
【図２】本考案における光センサーカウンター付き運動器具の斜視図である。
【図３】使用者と光検知射線との相対関係を示す図である。
【図４】光検知が行われた後のカウントユニットの表示形態を示す図である。
【図５】使用者と光検知射線との他の相対関係を示す図である。
【図６】光検知が行われた後のカウントユニットの他の表示形態示す図である。
【図７】本考案の運動器具を使用する時の使用状態における上面図である。
【図８】本考案の光センサーカウンター付き運動器具の他の実施例を示す図である。
【図９】本本案の光センサーカウンター付き運動器具の他の実施例における使用状態を示す図である。
【図１０】本考案の光センサーカウンター付き運動器具の他の実施例における表示状態を示す図である。
【符号の説明】
【００２２】
１、２          本体
３、４          取手部
１０            右の本体
１１            右の取手部
１２            光センサーカウンター
１３            カウントユニット
１４            光反応ユニット
１５            光束
２０            左の本体
２１            左の取手部
３０            本体
３１            固定部
３２            光センサーカウンター
３３            カウントユニット
３４            光反応ユニット
３５            光束
３６            コンピュータ・プログラム
【図１】
0003124483.tif 000003
【図２】
0003124483.tif 000004
【図３】
0003124483.tif 000005
【図４】
0003124483.tif 000006
【図５】
0003124483.tif 000007
【図６】
0003124483.tif 000008
【図７】
0003124483.tif 000009
【図８】
0003124483.tif 000010
【図９】
0003124483.tif 000011
【図１０】
0003124483.tif 000012